(57)【要約】      （修正有）【課題】滞りなくスムーズな転写動作を確実に実現し得る転写具を提供する。【解決手段】転写具は、リールとともに一体的に回転し、樹脂の一体成形により設けられた円筒形状の周面ＣＬ１０を有する第一の部材ＣＬ１と、凸部ＣＬ２０を有する第二の部材ＣＬ２とを有したクラッチ機構ＣＬを有した転写具であって、周方向に沿って隣り合う２つの摩擦発生部たる凸部ＣＬ２０を２組任意に選び出した場合、一方の組に属する隣り合う２つの凸部ＣＬ２０を結ぶ線分の垂直二等分線と、他方の組に属する隣り合う２つの凸部ＣＬ２０を結ぶ線分の垂直二等分線とが異なる配置となることを特徴とする。【選択図】図２８
2011121206.tif 000002
【特許請求の範囲】
【請求項１】
転写テープを巻回保持するリールと、当該リールに対して同軸に回転し得るギアとの間に設けられ、前記リールと前記ギアとの回転量の差を許容するためのクラッチ機構を具備している転写具であって、
前記リール又は前記ギアの何れか一方とともに一体的に回転し、樹脂の一体成形により設けられた円筒形状の周面を有する第一の部材と、
他方とともに一体的に回転するとともに前記第一の部材に嵌合し、前記周面に対し当接する４つ以上の摩擦発生部を有する第二の部材とを有し、
前記摩擦発生部のうち、周方向に沿って隣り合う２つの摩擦発生部を２組任意に選び出した場合において、一方の組に属する隣り合う２つの摩擦発生部を結ぶ線分の垂直二等分線と、他方の組に属する隣り合う２つの摩擦発生部を結ぶ線分の垂直二等分線とが異なって形成されるように全ての摩擦発生部を配置していることを特徴とする転写具。
【請求項２】
転写テープを巻回保持するリールと、当該リールに対して同軸に回転し得るギアとの間に設けられ、前記リールと前記ギアとの回転量の差を許容するためのクラッチ機構を具備している転写具であって、
前記リール又は前記ギアの何れか一方とともに一体的に回転し、樹脂の一体成形により設けられた円筒形状の周面を有する第一の部材と、
他方とともに一体的に回転するとともに前記第一の部材に嵌合し、前記周面に対し当接する４つ以上の摩擦発生部を有する第二の部材とを有し、
周方向に沿って隣り合う２つの摩擦発生部を２組任意に選び出した場合において、前記円筒形状に対し隣り合う２つの摩擦発生部を当該円筒の中心から平面視点対称に配置した仮想の配置とは異なる配置となるように、全ての摩擦発生部を位置付けていることを特徴とする転写具。
【請求項３】
前記第一の部材の周面の周方向に沿って３０°間隔で３つ等角度で摩擦発生部ブロックを形成するとともに、当該摩擦発生部ブロックを１２０°間隔で３つ等角度で配置している請求項１又は２記載の転写具。
【請求項４】
前記第二の部材が、前記摩擦発生部ブロック間を周方向に切り欠いた切欠部をさらに有している請求項３記載の転写具。
【請求項５】
転写テープを巻回保持するリールと、当該リールに対して同軸に回転し得るギアとの間に設けられ、前記リールと前記ギアとの回転量の差を許容するためのクラッチ機構を具備している転写具であって、
前記リール又は前記ギアの何れか一方とともに一体的に回転し、樹脂の一体成形により設けられた円筒形状の周面を有する第一の部材と、
他方とともに一体的に回転するとともに前記第一の部材に嵌合し、前記周面に対し当接する３つの摩擦発生部を有する第二の部材とを有していることを特徴とする転写具。
【請求項６】
転写テープを巻回保持するリールと、当該リールに対して同軸に回転し得るギアとの間に設けられ、前記リールと前記ギアとの回転量の差を許容するためのクラッチ機構を具備している転写具であって、
前記リール又は前記ギアの何れか一方とともに一体的に回転し、樹脂の一体成形により設けられた円筒形状の周面を有する第一の部材と、
他方とともに一体的に回転し、前記周面に当接する複数の摩擦発生部を有する第二の部材とを有し、
前記複数の摩擦発生部を、周方向に沿って間欠的に奇数個等角度間隔で設けたことを特徴とする転写具。
【請求項７】
前記摩擦発生部を、１２０°間隔で３つ設けている請求項６記載の転写具。
【請求項８】
前記リールを、前記転写テープの転写動作による移動にともなって回転する繰出リールとするとともに、前記ギアを前記繰出リールの回転に伴って回転する繰出ギアとし、
前記クラッチ機構を前記繰出リールと前記繰出ギアとの間に設けている請求項１、２、３、４、５、６又は７記載の転写具。
【請求項９】
前記第二の部材が前記ギアであり、前記第一の部材が前記リールを支持する支軸部材である請求項１、２、３、４、５、６、７又は８記載の転写具。
【請求項１０】
前記第二の部材が、前記摩擦発生部間を周方向に切り欠いた切欠部をさらに有している請求項１、２、３、４、５、６、７、８又は９記載の転写具。
【請求項１１】
前記第一の部材の円周面が内向きの円周面であり、前記摩擦発生部が当該円周面を内側から当接している請求項１、２、３、４、５、６、７、８、９又は１０記載の転写具。
【請求項１２】
前記第一の部材の円周面が外向きの円周面であり、前記摩擦発生部が当該円周面を外側から当接している請求項１、２、３、４、５、６、７、８、９、１０又は１１記載の転写具。
【請求項１３】
前記リールが、粘着剤を保持した転写テープを巻回保持し得るものである請求項１、２、３、４、５、６、７、８、９、１０、１１又は１２記載の転写具。  
【発明の詳細な説明】
【技術分野】
【０００１】
本発明は、転写テープを巻回保持してなる転写具に関するものである。
【背景技術】
【０００２】
一般に繰出リール及び巻取リールに転写テープを巻回保持させてなる転写具において、これら両リールの回転をギアにより連動させているものの多くは、繰出リールと、当該繰出リールの一部に嵌合することで回転する繰出ギアとの間には、これらの回転速度、換言すれば時間当たりの回転量の異なり、すなわちズレを許容するための滑り機構とも称されるクラッチ機構が設けられている（例えば、特許文献１参照）。
【０００３】
斯かる転写具の転写動作について説明する。まず、転写動作の開始時は繰出リールの回転が主体となって当該繰出リールに前記クラッチ機構を介して取り付けられた繰出ギア、そして当該繰出ギアに直接又は間接的に噛合する巻取ギアの回転により巻取ギアと一体的に回転する巻取リールを回転させる。
【０００４】
ここで、繰出ギアと巻取ギアとの歯数比は、巻取リールによるテープの巻き取り量が、繰出ギアと一体に回転した場合の繰出リールのテープの繰出し量よりも常に大きくなるように設定されている。言い換えれば、巻取リールには、繰出リールから繰出される転写テープを巻き取るのに必要な大きさ以上の引っ張り力が発生している。
【０００５】
さらに一旦テープの転写動作が行なわれると、転写動作によるテープの移動と巻取リールの動作とが主に連動することにより、転写後のテープは弛み無く巻取リールに巻き取られていく。そのため、巻取ギア・リールを回転させてからの繰出リールのテープの繰出し量は繰出ギアと一体に回転させた場合の繰出リールのテープ量よりも多くなる。
【０００６】
すなわち転写具では、繰出ギアの回転量と繰出リールの回転量が異なった状態を常に維持しながら転写動作が行なわれ、この回転量の異なりを許容するために常に上述のクラッチ機構が作用している。
【０００７】
なお上述のものとは異なり、ベルト・プーリ機構により両リールを連動させてなるものにおいては、ベルトとプーリとの動作のズレを許容し得る構成とすることにより、前記クラッチ機構と同様の作用を実現している。
【先行技術文献】
【特許文献】
【０００８】
【特許文献１】特開２００３−５４１９２号公報
【発明の概要】
【発明が解決しようとする課題】
【０００９】
クラッチ機構を構成する一例としては、図２４に示すようなクラッチ機構ＣＬが挙げられる。すなわち、例えば巻き取り側の図示しないリールとともに一体的に回転し、樹脂の一体成形により設けられた円筒形状の周面ＣＬ１０を有する第一の部材ＣＬ１と、ギアＧとともに一体的に回転するとともに前記第一の部材ＣＬ１に嵌合し、前記周面ＣＬ１０に対し当接する摩擦発生部としての凸部ＣＬ２０を有する第二の部材ＣＬ２とを有したものが挙げられる。
【００１０】
このようなクラッチ機構ＣＬは、凸部ＣＬ２０の配置を適宜の配置とすることにより、各々の態様の転写具に求められる所望の摩擦強さを容易に設定できるものである。そして同図にはその一例として、前記凸部ＣＬ２０を周面に沿って９０°等間隔に４つ設けたクラッチ機構ＣＬを図示している。
【００１１】
ここで本願発明者等は、斯かる構成を採用した場合、一定の力で転写具を転写した場合、途中に局所的に転写具のテープの繰り出しが僅かながら滞るタイミングが訪れることを発見した。そして斯かるテープ繰出し又は巻き取りの滞りの度合いによっては、転写動作自体が滞ったり、前記タイミングに応じて力を強めて転写した使用者が当該タイミング後に勢い余って粘着剤や修正剤といった転写物を余分な距離転写してしまったりするという不具合を招来する恐れがあることを発見した。
【００１２】
そして本願発明者等は上記テープ繰り出しの滞りの原因を調査した結果、その原因が樹脂の一体成形によって形成された第一の部材ＣＬ１が有する円筒形状の周面ＣＬ１０と、周面ＣＬ１０の周方向に間欠的に当接する摩擦発生部たる凸部ＣＬ２０の配置によって起こることを見出した。
【００１３】
上記原因について図２５を用いて詳述する。同図は、第一の部材ＣＬ１が有する周面ＣＬ１０と、円周面の周方向に間欠的に当接する凸部ＣＬ２０の配置とを模式的に示している。
【００１４】
まず本願発明者等は、正確に真円筒形状の空間を形成した金型を採用した場合、金型内の樹脂の流れ方等の理由によって、成型品は僅かではあるが一方向に僅かに扁平した楕円形状となることに着目した。そして僅かに楕円状の円周面ＣＬ１０に対し、図２５に示すように例えば９０°で４つの凸部ＣＬ２０を有する第二の部材ＣＬ２を嵌合させた場合、図示で四角で囲んだタイミングにおいて、上記したようなテープの繰り出しの滞りが起こることを発見した。
【００１５】
また同様の不具合は、上記図２４、図２５に示す態様のみならず、２２．５°間隔で円周に沿って等間隔に凸部ＣＬ２０を８つ設けた図２６に示す態様や、６０°間隔で円周に沿って等間隔に凸部ＣＬ２０を６つ設けた図２７に示す態様を採用した場合においても、上述の９０°で４つの凸部ＣＬ２０を有する態様と同様に、テープの繰り出しの滞りが起こることを発見した。
【００１６】
本発明は、このように本願発明者が初めて発見した不具合に着目したものであり、滞りなくスムーズな転写動作を確実に実現し得る転写具を提供することを目的としている。
【課題を解決するための手段】
【００１７】
本発明は、このような目的を達成するために、次のような手段を講じたものである。すなわち本発明に係る転写具は、転写テープを巻回保持するリールと、当該リールに対して同軸に回転し得るギアとの間に設けられ、前記リールと前記ギアとの回転量の差を許容するためのクラッチ機構を具備している転写具であって、前記リール又は前記ギアの何れか一方とともに一体的に回転し、樹脂の一体成形により設けられた円筒形状の周面を有する第一の部材と、他方とともに一体的に回転するとともに前記第一の部材に嵌合し、前記周面に対し当接する４つ以上の摩擦発生部を有する第二の部材とを有し、前記摩擦発生部のうち、周方向に沿って隣り合う２つの摩擦発生部を２組任意に選び出した場合において、一方の組に属する隣り合う２つの摩擦発生部を結ぶ線分の垂直二等分線と、他方の組に属する隣り合う２つの摩擦発生部を結ぶ線分の垂直二等分線とが異なって形成されるように全ての摩擦発生部を配置していることを特徴とするものである。
【００１８】
また本発明に係る転写具は、周方向に沿って隣り合う２つの摩擦発生部を２組任意に選び出した場合において、前記円筒形状に対し隣り合う２つの摩擦発生部を当該円筒の中心から平面視点対称に配置した仮想の配置とは異なる配置となるように、全ての摩擦発生部を位置付けていることを特徴とするものである。
【００１９】
すなわち本願発明者等は、図２４、図２５及び図２６に示すような摩擦発生部は、図２８に示す要件を満たしてしまうことにおいて共通するものであることを発見した。同図を基に説明すると、複数の摩擦発生部たる凸部ＣＬ２０のうち、周方向に沿って隣り合う２つの摩擦発生部を２組任意に選び出した場合、一方の組に属する隣り合う２つの凸部ＣＬ２０を結ぶ線分ａの垂直二等分線ａ１と、他方の組に属する隣り合う２つの凸部ＣＬ２０を結ぶ線分ｂの垂直二等分線ｂ２とが重なる配置となった場合に、僅かに扁平な楕円形状をなす円周面ＣＬ１０の対向する短寸部分ＣＬ１１を隣り合う２つの凸部ＣＬ２０が挟み込んでしまうために、このような転写テープの動作の滞りが生じることを発見した。なお同図の態様とは異なり、隣り合う２つの凸部ＣＬ２０が円周面ＣＬ１０に外側から当接する場合には、前記僅かに扁平な楕円形状をなす円周面ＣＬの対向する長寸部分ＣＬ１２を挟み込むことにより、同様の事態となると考えられる。
【００２０】
さらに詳述すると、２組の凸部ＣＬ２０の隣り合う距離が等しい場合、言い換えれば、当該円筒の中心ｃから平面視点対称に配置した仮想の配置ｄと重なってしまうような凸部ＣＬ２０の配置をなす場合に、このような滞りが明確に起こることを発見した。
【００２１】
すなわち、このような構成を採用すれば、何れの回転ステージにおいても所要の摩擦をもってスムーズに動作し得るクラッチ機構を実現できる。そうすることにより、滞りなくスムーズな転写動作を確実に実現し得る転写具を提供することが可能となる。
【００２２】
また、上記の構成を適用した場合、転写具を構成するために必要なクラッチ機構としての所要の摩擦を好適に得るための構成として、第一の部材の周面の周方向に沿って３０°間隔で３つ等角度で摩擦発生部ブロックを形成するとともに、当該摩擦発生部ブロックを１２０°間隔で３つ等角度で配置したものを挙げることができる。
【００２３】
そしてさらに精密に摩擦強さを調節し得るものとするためには、第二の部材が、前記摩擦発生部ブロック間を周方向に切り欠いた切欠部をさらに有したものとすることが望ましく、この切欠部の形状を適宜調節することにより所要の摩擦強さを得ることが好ましい。
【００２４】
また本発明に係る転写具は、転写テープを巻回保持するリールと、当該リールに対して同軸に回転し得るギアとの間に設けられ、前記リールと前記ギアとの回転量の差を許容するためのクラッチ機構を具備している転写具であって、前記リール又は前記ギアの何れか一方とともに一体的に回転し、樹脂の一体成形により設けられた円筒形状の周面を有する第一の部材と、他方とともに一体的に回転するとともに前記第一の部材に嵌合し、前記周面に対し当接する３つの摩擦発生部を有する第二の部材とを有していることを特徴とする。
【００２５】
このようなものであっても、図２８に示すような摩擦発生部の配置となることを有効に回避することとなるため、上述同様の効果を奏するものとなる。
【００２６】
そして、図２８に示すような摩擦発生部の配置を回避しつつ、クラッチ機構としての所要の摩擦を得ることや、重量バランスに優れた部品としてよりスムーズな動作を担保し得る本発明に係る転写具は、転写テープを巻回保持するリールと、当該リールに対して同軸に回転し得るギアとの間に設けられ、前記リールと前記ギアとの回転量の差を許容するためのクラッチ機構を具備している転写具であって、前記リール又は前記ギアの何れか一方とともに一体的に回転し、樹脂の一体成形により設けられた円筒形状の周面を有する第一の部材と、他方とともに一体的に回転し、前記周面に当接する複数の摩擦発生部を有する第二の部材とを有し、前記複数の摩擦発生部を、周方向に沿って間欠的に奇数個等角度間隔で設けたことを特徴とするものである。
【００２７】
そして単純な構成で上記効果を容易に得るための構成としては、この摩擦発生部を、１２０°間隔で３つ設けたものとすることが望ましい。
【００２８】
ここで、転写具に適用し得るクラッチ機構としては、転写テープを繰り出す繰り出しリール側に設けても、転写後の転写テープを巻き取る巻取リール側に設けても良いが、本発明を既存の構成を具備する転写具に容易に適用することを鑑みれば、リールを、転写テープの転写動作による移動にともなって回転する繰出リールとするとともに、前記ギアを前記繰出リールの回転に伴って回転する繰出ギアとし、クラッチ機構を前記繰出リールと前記繰出ギアとの間に設ける、すなわちクラッチ機構は繰り出しリール側に設けることが望ましい。
【００２９】
そして既存の転写具の多くが、例えばリフィル交換式のもののように、ギアとリールとを分離し得る態様を適用していることから、本発明の転写具は、第二の部材をギアとし、円周面を有している第一の部材をリールを支持する支軸部材とすることが好ましい。
【００３０】
また勿論、第二の部材を、摩擦発生部間を周方向に切り欠いた切欠部をさらに有したものとすることにより、より精密に所要の摩擦強さを得ることが好ましい。
【００３１】
そして、本発明に係るクラッチ機構は、第一の部材の円周面が内向きの円周面であり、前記摩擦発生部が当該円周面を内側から当接しているものであっても、第一の部材の円周面が外向きの円周面であり、前記摩擦発生部が当該円周面を外側から当接しているものであっても、上述の効果を好適に奏するものとなる。
【００３２】
また本発明は、一般に使用されている転写具、すなわち修正剤を転写するタイプのものであっても粘着剤を転写するタイプのものであっても好適に適用することが可能であるが、転写動作のためにより大きな作用力を必要とする粘着剤を転写するタイプの転写具、すなわちリールが、粘着剤を保持した転写テープを巻回保持し得る転写具に対して適用すれば、よりスムーズな転写動作をし得る転写具を提供することが可能となる。
【発明の効果】
【００３３】
本発明によれば、何れの回転ステージにおいても所要の摩擦をもってスムーズに動作し得るクラッチ機構を実現できる。そうすることにより、滞りなくスムーズな転写動作を確実に実現し得る転写具を提供することができる。
【図面の簡単な説明】
【００３４】
【図１】本発明の一実施形態に係る外観図。
【図２】同実施形態に係る他の外観図。
【図３】同実施形態に係る分解斜視図。
【図４】同実施形態に係る他の分解斜視図。
【図５】同実施形態に係る構成説明図。
【図６】同実施形態の要部の分解斜視図。
【図７】同上。
【図８】同実施形態に係る構成説明図。
【図９】図８に対応した動作説明図。
【図１０】同実施形態の要部を示す説明図。
【図１１】同実施形態の要部を示す断面図。
【図１２】図１１に対応した動作説明図。
【図１３】同実施形態の要部を示す構成説明図。
【図１４】同上。
【図１５】同上。
【図１６】同実施形態に係る要部の断面図。
【図１７】本実施形態の要部の構成を模式的に示す図。
【図１８】同実施形態の変形例に係る模式的な図。
【図１９】同上。
【図２０】同上。
【図２１】同実施形態の変形例の一を示す模式的な図。
【図２２】同変形例の一を示す要部の外観図。
【図２３】同変形例の一を示す要部の外観図。
【図２４】本発明の従来技術の要部を示す図。
【図２５】同従来技術の構成を模式的に示す図。
【図２６】同従来技術の他の構成を模式的に示す図。
【図２７】同上。
【図２８】本発明の構成を模式的に示す原理図。
【発明を実施するための形態】
【００３５】
本発明の一実施形態を、図面を参照して説明する。図１ないし図１７に示す本実施形態の転写具Ｔは、転写具本体１と、転写具本体１内部に収納する交換可能なリフィル２とを主たる要素とする。
【００３６】
リフィル２は、粘着剤や修正テープ、顔料等の転写物を保持するもので、転写物を付着させた転写テープを巻き回してなる繰出リール２１と、繰出リール２１から繰り出される転写テープを巻き掛けた転写物を転写対象面に押圧転写するための転写ヘッド２２と、転写ヘッド２２を経由した転写テープを巻き取る巻取リール２３と、これら繰出リール２１、転写ヘッド２２及び巻取リール２３を支持するリフィルフレーム２４とを具備する。
【００３７】
転写具本体１は、転写具Ｔの外面を形成する外ケース３と、外ケース３に対して長手方向にスライド可能に取り付けてなりリフィル２を支持するスライドフレーム４と、スライドフレーム４を収納位置Ｓまたは使用位置Ｕの一方に選択的に保持する選択保持機構たるノック機構５と、外ケース３に片持ち支持させてなるキャップ６と、スライドフレーム４の移動に連動してキャップ６を閉止位置Ｃから開放位置Ｏに、またはその逆方向に駆動するキャップ開閉機構７とを具備する。
【００３８】
外ケース３は、第１のケース部材３１と、第１のケース部材３１に対して着脱可能な第２のケース部材３２と、第２のケース部材３２の外面と略面一な外面を有する第３のケース部材３３とを具備する。また、この外ケース３には、転写ヘッド２２を露出させるための第１の開口３ａと、ノック機構５の後述するノック棒５１を露出させるための第２の開口３ｂとを形成している。
【００３９】
第１のケース部材３１は、面板部３１１と、面板部３１１の周縁部から起立させて設けた周壁部３１２とを有する。面板部３１１の内面には、スライドフレーム４のスライド移動の方向を案内するためのガイド爪３１１ａを設けている。また、周壁部３１２の第２の開口３ｂ側の端部には、第３のケース部材３３に係り合わせるための取付爪３１２ａを設けている。さらに、周壁部３１２の第１の開口３ａ側の端部及び長手方向中央部には、第２のケース部材３２に係り合わせるための取付爪３１２ｂを設けている。
【００４０】
第２のケース部材３２は、第１のケース部材３１の面板部３１１と対向する面板部３２１と、面板部３２１の前端部を除く部位から垂下させて設けた周壁部３２２とを有する。この周壁部３２２に設けた図示しない係合凹部を、第１のケース部材３１に設けた取付爪３１２ｂと係り合わせることにより、第２のケース部材３２を第１のケース部材３１に装着するようにしている。そして、面板部３２１の後端部に、第３のケース部材３３に装着するための係止爪３２１ａを設けている。
【００４１】
第３のケース部材３３は、第１のケース部材３１の面板部３１１と対向し第２のケース部材３２の面板部３２１と面一をなす面板部３３１と、面板部３３１の前端部を除く部位から垂下させて設けた周壁部３３２とを有する。この周壁部３３２に設けた図示しない係合凹部を、第１のケース部材３１に設けた取付爪３１２ａと係り合わせることにより、第３のケース部材３３を第１のケース部材３１に装着するようにしている。また、面板部３１１には、第２のケース部材３２の係止爪３２１ａと係り合うことが可能な図示しない係止凹部を設けている。そして、第３のケース部材３３の係止凹部に第２のケース部材３２の係止爪３２１ａを係り合わせた状態で、スライドフレーム４が、第１、第２、第３のケース部材３１、３２、３３からなる外ケース３内に収納される。
【００４２】
スライドフレーム４は、図３及び図７に示すように、第１のケース部材３１のガイド爪３１１ａにスライド可能に支持させてなるスライドフレーム本体４１、スライドフレーム本体４１から第２のケース部材３２に向かう側に突出し繰出リール２１の回転中心をなす繰出軸４２、繰出軸４２に軸支させるギア部材たる繰出ギア４３、同じく繰出軸４２に軸支させるとともに繰出リール２１を支持する支軸部材たるクラッチ４４、繰出ギア４３に噛み合わせてなる第１の中間ギア４５、第１の中間ギア４５に噛み合わせてなる第２の中間ギア４６、リフィルフレーム２４側の巻取リール２３を軸支して巻取リール２３の回転中心をなす巻取軸４７を備えている。そして、このスライドフレーム４は、ノック機構５により収納位置Ｓから使用位置Ｕ、またはその逆方向に駆動される。繰出ギア４３及び前記支軸部材２４４ｂとしてのクラッチ４４は滑り機構８（クラッチ機構ＣＬ）を構成する。滑り機構８については、後述する。
【００４３】
ノック機構５は、筆記具に用いられるノック機構５として広く知られているものと同様の機構を有する。具体的には、外ケース３の第２の開口３ｂに挿し通してなるノック棒５１と、後端部をこのノック棒５１に接続しているとともに前端部をスライドフレーム４に接続している図示しないノックカムと、移動端すなわち後端部をスライドフレーム４に接続してなるとともに固定端すなわち前端部を第１のケース部材３１に設けた固定側リテーナ３１３に接続してなる付勢手段であるコイルバネ５２とを備えている。このノック機構５のコイルバネ５２は、前述したように固定端を第１のケース部材３１の面板部３１１に備えた固定側リテーナ３１３に接続してなるとともに、自由端をスライドフレーム４に備えた移動側リテーナ４１１に接続してなる。また、移動側リテーナ４１１からは固定側リテーナ３１３に向かう方向に延びるバネ支持棒４１１ａを突出させて設けていて、バネ支持棒４１１ａにコイルバネ５２を挿し通している。一方、固定側リテーナ３１３には、バネ支持棒４１１ａを挿し通すことが可能な支持棒挿通孔３１３ａを設けていて、スライドフレーム４の移動の際にはバネ支持棒４１１ａが支持棒挿通孔３１３ａを通過する。そして、このノック機構５は、スライドフレーム４を収納位置Ｓに配している状態でノック棒５１を押圧する操作を加えると、スライドフレーム４を使用位置Ｕまで駆動し、スライドフレーム４が使用位置Ｕまで移動した際にスライドフレーム４を使用位置Ｕに保持するように構成している。一方、スライドフレーム４を使用位置Ｕに保持した状態でノック棒５１を押圧する操作を加えると、コイルバネ５２の付勢力によりスライドフレーム４を収納位置Ｓまで移動し、スライドフレーム４をそのまま収納位置Ｓに保持するように構成している。
【００４４】
キャップ６は、転写ヘッド２２を遮蔽する閉止位置Ｃと転写ヘッド２２を外部に露出させる開放位置Ｏとの間で移動可能であり、第１のケース部材３１の面板部３１１に片持ち支持される支持部６１と、支持部６１の先端に接続し閉止位置Ｃにおいて転写ヘッド２２を遮蔽する遮蔽部６２と、遮蔽部６２に接続し第１及び第２のケース部材３１、３２の周壁部３１２、３２２に沿う板片状のストッパ部６３とを具備する。支持部６１には、第１のケース部材３１の面板部３１１に形成した円弧状の案内スリット３１１ｂに係り合う案内爪６１１、６１２を設けていて、これらの案内爪６１１、６１２が案内スリット３１１ｂ内を移動することにより第１のケース部材３１の面板部３１１の法線に沿う軸を中心として回転移動する。そして、上述したように、この支持部６１の先端に遮蔽部６２を接続している。遮蔽部６２は、閉止位置Ｃにおいて外ケース３の第１の開口３ａを遮蔽する板状の部位であり、この遮蔽部６２の一端部にストッパ部６３を接続している。ストッパ部６３は、上述したように第１及び第２のケース部材３１、３２の周壁部３１２、３２２に沿う板片状の部位であり、開放位置Ｏにおいて第１及び第２のケース部材３１、３２に衝き当たることによりキャップ６の回転移動を規制する。
【００４５】
キャップ開閉機構７は、前述したように、スライドフレーム４の移動に連動してキャップ６を閉止位置Ｃから開放位置Ｏに、またはその逆方向に駆動する。具体的には、このキャップ開閉機構７は、スライドフレーム４の面板部の第１のケース部材３１に向かう側の面に設けたキャップ駆動突起７１と、スライドフレーム４の第１のケース部材３１に向かう側の面の両側縁に設けたキャップ案内突条７２と、キャップ６の支持部６１の後部に設けてなる断面視コの字状の突起でありキャップ駆動突起７１及びキャップ案内突条７２に駆動される被駆動部７３とを利用して構成している。被駆動部７３は、キャップ６が閉止位置Ｃに位置する際にキャップ駆動突起７１の転写ヘッド２２側に位置する第１の壁体７３１と、キャップ６が開放位置Ｏに位置する際にキャップ駆動突起７１のノック棒５１側に位置する第２の壁体７３２と、キャップ６が閉止位置Ｃに位置する際にキャップ駆動突起７１のノック棒５１側に位置する第３の壁体７３３とを一体に有する。
【００４６】
スライドフレーム４が収納位置Ｓから収納位置Ｓと使用位置Ｕとの中間まで移動する際には、キャップ駆動突起７１が被駆動部７３の第１の壁体７３１を押圧することによりキャップ６が駆動され、キャップ６の案内爪６１１が案内スリット３１１ｂ内を移動することにより、キャップ６は閉止位置Ｃから閉止位置Ｃと開放位置Ｏとの中間まで移動する。それからさらにスライドフレーム４が収納位置Ｓと使用位置Ｕとの中間から使用位置Ｕまで移動する際には、被駆動部７３とキャップ案内突条７２とが互いに接触することによりキャップ６が駆動され、引き続きキャップ６の案内爪６１１が案内スリット３１１ｂ内を移動することにより、キャップ６は閉止位置Ｃと開放位置Ｏとの中間から開放位置Ｏまで移動する。一方、スライドフレーム４が開放位置Ｏから収納位置Ｓに向けて移動する際には、キャップ開閉機構７は上述したものと逆方向に作動する。すなわち、スライドフレーム４が使用位置Ｕから収納位置Ｓと使用位置Ｕとの中間まで移動する際には、被駆動部７３とキャップ案内突条７２とが互いに接触することによりキャップ６が駆動され、キャップ６の案内爪６１１が案内スリット内を移動することにより、キャップ６は閉止位置Ｃと開放位置Ｏとの中間まで移動する。その後、キャップ駆動突起７１が被駆動部７３の第２の壁体７３２及び第３の壁体７３３を順次押圧することによりキャップ６が駆動され、引き続きキャップ６の案内爪６１１が案内スリット３１１ｂ内を移動することにより、キャップ６は閉止位置Ｃまで移動する。
【００４７】
さらに本実施形態では、キャップ６を前記開放位置Ｏに保持するキャップ保持部７４を備えている。このキャップ保持部７４は、キャップ６の案内爪６１１の長手方向一端部に設けた保持突起７４１と、スライドフレーム４の裏面に設けてなり保持突起７４１と係り合う保持凹部７４２とが係り合うことにより機能する。
【００４８】
しかして、再度リフィル２に目を転じると、リフィル２は、転写具本体１のスライドフレーム４に支持させた状態で、スライドフレーム４と一体的に転写ヘッド２２が外部に露出する使用位置Ｕと転写ヘッド２２が転写具本体１内に収納させる収納位置Ｓとの間で移動可能である。また、このリフィル２は、非使用時に前記繰出リール２２の回転を阻止する空転防止機構２５を備えている。
【００４９】
リフィルフレーム２４は、繰出リール２１を軸支する繰出リール支持部２４１と、巻取リール２３を軸支する巻取リール支持部２４２と、巻取リール２３に設けたラチェット歯２３ａに係り合わせてなり巻取リール２３の逆転を防止するためのラチェット爪２４３と、繰出リール２１に設けた係止歯２１ａに係り合わせてなる係止爪２４４ｘを先端に設けた係止アーム２４４とを有する。また、このリフィルフレーム２４の転写ヘッド２２側の端部には、内部に長孔２４５ａを有する係合受部２４５を設けている。係合受部２４５は、リフィル２をスライドフレーム４に取り付けた状態で、スライドフレーム４に設けた係合ピン４１２を係合受部２４５内部の長孔２４５ａに収納してなり、これら係合受部２４５と係合ピン４１２とにより、リフィルフレーム２４をスライドフレーム４に移動可能に支持する可動係合部Ｋを形成している。
【００５０】
繰出リール２１には、上述した繰出リール支持部２４１に対して転写テープが引き出された際に、クラッチ４４から回転力の伝達を受けるための噛合穴２１１を中心部に設けている。また、上述したように、繰出リール２１のリフィルフレーム２４側に向かう面には、リフィルフレーム２４の係止爪２４４ｘに係り合う係止歯２１ａを設けている。また、本実施形態では、輸送中や保管中等、長期間使用しない状態で転写物が露出する部位を少なくすべく、転写テープの転写物を内面すなわちこの繰出リール２１の中心に向かう側の面に保持させた状態で繰出リール２１に巻き回している。そして、この操出リール２１の転写対称面と反対側の部位から繰り出された転写テープは、巻取リール２３の転写対称面に向かう部位にガイドされ、転写ヘッド２２に導かれる。
【００５１】
巻取リール２３は、当該巻取リール２３の主体をなし巻取リール支持部２４２に支持される巻取リール本体２３１と、巻取リール本体２３１のリフィルフレーム２４側に設けてなりリフィルフレーム２４のラチェット爪２４３に係り合うラチェット歯２３ａと、巻取リール本体２３１のスライドフレーム４と対向する側に設けてなりスライドフレーム４の第２の中間ギア４６に対して噛み合い得る巻取ギア２３２とを有している。巻取ギア２３２は、リフィル２交換時に第２の中間ギア４６に簡便に噛み合わせることができるよう、傘歯車状のものとなっている。また、本実施形態では、この巻取リール２３は、前記繰出リール２１と比較して、転写ヘッド２２に近い側に配している。
【００５２】
空転防止機構２５は、リフィルフレーム２４の係止アーム２４４の先端に設けた係止爪２４４ｘと、繰出リール２１に設けた係止歯２１ａとを係り合わせることにより、リフィルフレーム２４の回転を阻止する。より具体的には、係止アーム２４４は、リフィルフレーム２４の長手方向に伸びるアーム本体２４４ａと、アーム本体２４４ａの中間部からリフィルフレーム２４の両側縁に向けて伸びる軸部２４４ｂと、軸部２４４ｂからリフィルフレーム２４の両側縁に向かいつつ転写ヘッド２２に向かう方向に伸びる弾性支持部２４４ｃとを有する。アーム本体２４４ａは、中間部に設定した支点２４４ｚを中心にシーソー運動可能である。この支点２４４ｚは、スライドフレーム４のノック棒５１側の端縁からリフィルフレーム２４側に突出させて設けたアーム支持部４１３に衝き当たる箇所である。また、アーム本体２４４ａのノック棒５１側の端部には、リフィル２の移動に伴い第２のケース部材３２に設けた係止解除突起３２１ｂに衝き当たる突起２４４ｙを設けている。この突起２４４ｙが係止解除突起３２１ｂに衝き当たると、アーム本体２４４ａは支点２４４ｚを軸に回転移動し、係止爪２４４ｘが係止歯２１ａから離間する。なお、係止アーム２４４の突起２４４ｙが係止解除突起３２１ｂに衝き当たった状態では、係止アーム２４４には、係止爪２４４ｘと係止歯２１ａとを係り合わせる方向への弾性力が蓄積される。そして、リフィルフレーム２４のアーム本体２４４ａの周囲の部位には、このアーム本体２４４ａをリフィルフレーム２４の厚さ方向に移動可能にすべく切欠き部２４ｘを設けている。
【００５３】
さらに、リフィル２と第２のケース部材３２との間には、空転防止機構２５によるリフィル２の回転阻止状態を解除するための解除機構を設けている。解除機構は、係止アーム２４４に設けた前記突起２４４ｙと、第２のケース部材３２に設けた前記係止解除突起３２１ｂを利用して構成している。この解除機構は、転写具Ｔの使用時において、以下のようにして機能する。
【００５４】
転写具Ｔの使用時には、ノック機構５が作動することにより、スライドフレーム４及びこのスライドフレーム４に支持させたリフィルフレーム２４が収納位置Ｓから使用位置Ｕに向けて移動する。その際、リフィルフレーム２４が使用位置Ｕまで移動すると、係止アーム２４４の突起２４４ｙが第２のケース部材３２の係止解除突起３２１ｂに衝き当たり、アーム本体２４４ａが支点２４４ｚを軸として回転移動し、係止アーム２４４の先端部の係止爪２４４ｘが繰出リール２１の係止歯２１ａと離間する。結果、繰出リール２１が回転可能になる。
【００５５】
逆に、転写具Ｔの非使用時には、ノック機構５が作動することにより、スライドフレーム４及びこのスライドフレーム４に支持させたリフィルフレーム２４が使用位置Ｕから収納位置Ｓに向けて移動する。その際、リフィルフレーム２４が使用位置Ｕから移動すると、係止アーム２４４の突起２４４ｙが第２のケース部材３２の係止解除突起３２１ｂに衝き当たった状態が解除される。その際、アーム本体２４４ａが弾性力により支点２４４ｚを軸として回転移動し、この係止アーム２４４の先端部の係止爪２４４ｘが繰出リール２１の係止歯２１ａと係り合う。結果、繰出リール２１の回転が再び規制される。
【００５６】
以降、本発明の第二の部材に該当する繰出ギア４３（ＣＬ２）と第一の部材に該当するクラッチ４４（ＣＬ１）とがなす滑り機構８、すなわちクラッチ機構ＣＬについて、図２８、図１３ないし図１７を用いて詳述する。転写具Ｔの使用に際し、使用者が転写具本体１を把持し、転写ヘッド２２及び転写テープを転写対象面に押し付けながら転写具本体１を移動させると、転写ヘッド２２に巻き掛けた転写テープが転写対象面に引き摺られ、転写テープが繰出リール２１から引き出される。転写テープから繰出リール２１に与えられる回転駆動力は、繰出リール２１と一体的に回転するクラッチ４４（ＣＬ１）に伝わり、さらにクラッチ４４（ＣＬ１）から繰出ギア４３（ＣＬ２）に伝わる。動力伝達装置９を構成する繰出ギア４３（ＣＬ２）、第１の中間ギア４５及び第２の中間ギア４６は、この回転駆動力を巻取ギア２３２に伝達する。巻取ギア２３２は巻取リール２３に一体成形されており、巻取ギア２３２を介して回転駆動される巻取リール２３は転写物を転写済みのテープを巻き取る。
【００５７】
繰出リール２１に巻かれているテープの残量が減少し、同時に巻取リール２３に巻き取られるテープの量が増加すると、繰出リール２１の実質的な巻径が小さくなり、巻取リール２３の実質的な巻径が大きくなる。繰出ギア４３（ＣＬ２）と巻取ギア２３２との増速比（または、減速比）は一定であるので、そのままだと巻取リール２３へのテープの巻き取り速度が上がり、テープの張力が増大する。
【００５８】
このような張力の増大を防止するため、クラッチ４４（ＣＬ１）を繰出ギア４３（ＣＬ２）に対して摩擦を伴いつつ滑らせることで両者の回転数に差を生じさせ、繰出リール２１のテープ繰り出し速度と巻取リール２３のテープ巻き取り速度とを合致させるクラッチ機構ＣＬを設けているのである。クラッチ機構ＣＬにおける滑りの度合い、換言すればクラッチ４４（ＣＬ１）と繰出ギア４３（ＣＬ２）との回転数差は、転写テープが未使用であるときには０であるか小さく、転写テープが使用されその残量が減るにつれて大きくなる。図１３ないし図１５に示すように、繰出ギア４３（ＣＬ２）は、外周に第１の中間ギア４５に噛み合う外歯を形成した外歯部４３１と、中心部位にあって軸心方向に伸長したボス軸部４３２と、外歯部４３１とボス軸部４３２とを隔てる軸心方向に開口した環状溝４３３とを有している。ボス軸部４３２は、概ね厚肉の円筒状であるが、先端側を複数箇所で切り欠いてあり、それら切り欠き４３２ｂすなわち本発明に係る切欠部ＣＬ２１によって周方向に連続せず断裂している。加えて、その外周面に、周方向に沿って間欠的に複数の凸部４３２（ＣＬ２０）を有している。各凸部４３２ａ（ＣＬ２０）は、ボス軸部４３２の外周面から若干ながら膨出している。環状溝４３３には、周方向に沿って間欠的に複数の内向突片４３３ａを設けてある。各内向突片４３３ａは、環状溝４３３の開口幅を狭めるように環状溝４３３の内周面（径方向に対向した両壁面のうち外周側にあって内側を向く面）から径方向に沿って内方に延出しており、それぞれが径方向に沿って各凸部４３２ａ（ＣＬ２０）と対向している。ここで当該凸部４３２ａは、本発明に係る摩擦発生部ＣＬ２０に該当するものである。
【００５９】
クラッチ４４（ＣＬ１）は、基軸部４４１と、基軸部４４１の基端側に連接する嵌装部４４２とを有している。基軸部４４１は嵌装部４４２よりも小径かつ長尺な略円筒状をなし、嵌装部４４２は基軸部４４１よりも大径かつ短尺な略円筒状をなす。基軸部４４１、嵌装部４４２何れも、ボス軸部４３２と比較して薄肉であり、周方向に沿って断裂せずに一周連続している。嵌装部４４２は、軸心方向に対し直交する中空円板状の連続部４４３を介して基軸部４４１に連なる。嵌装部４４２の一部は、その他の部分よりも径方向に沿って外方に張り出したフランジ４４２ａとなっている。このフランジ４４２ａの終端縁に、フランジ４４２ａの外周面から突出した外向突片４４２ｂを設けている。外向突片４４２ｂは、周方向に連続した略円環状をなす。基軸部４４１の外周面からは、複数本のリブ４４１ａが径方向に沿って突出している。各リブ４４１ａは、基軸部４４１及び連続部４４３に接合する。各リブ４４１ａの外側端面は、基端側が嵌装部４４２の外周面と略面一に連続し、先端側がテーパ状となっている。
【００６０】
前記クラッチ４４（ＣＬ１）は、その嵌装部４４２の内部にボス軸部４３２を挿入し、同時に嵌装部４４２のフランジ４４２ａを環状溝４３３に挿入することによって繰出ギア４３（ＣＬ２）に組み付ける。図１６に示すように、クラッチ４４（ＣＬ１）を繰出ギア４３（ＣＬ２）に組み付けた状態では、嵌装部４４２の内周面すなわち周面ＣＬ１０にボス軸部４３２の凸部４３２ａ（ＣＬ２０）が密接する。並びに、嵌装部４４２の外周面、特にフランジ４４２ａの外周面に、環状溝４３３の内向突片４３３ａが近接または当接する。また、連続部４４３の基端側の面に、ボス軸部４３２の先端面が近接または当接する。さらに、外向突片４４２ｂが、内向突片４３３ａよりも軸心方向に沿って内奥（ボス軸部４３２の基端側に向かう方、図１７における上方）に位置付けられる。これら外向突片４４２ｂと内向突片４３３ａとの係わり合いにより、嵌装部４４２から前記ボス軸部４３２が抜出するのを抑止、ひいてはクラッチ４４（ＣＬ１）が繰出ギア４３（ＣＬ２）から離脱するのを抑止する抜止構造が構築される。
【００６１】
このクラッチ機構ＣＬでは、クラッチ４４（ＣＬ１）の嵌装部４４２の内周面ＣＬ１０と繰出ギア４３（ＣＬ２）のボス軸部４３２の凸部４３２ａ（ＣＬ２０）との摺動摩擦によりトルクを伝達する。切り欠き４３２ｂすなわち切欠部ＣＬ２１を形成したボス軸部４３２は、その径を収縮させるように弾性変形することが可能であり、弾性変形の反発により凸部４３２ａ（ＣＬ２０）を嵌装部４４２の内周面ＣＬ１０に押圧して適切な大きさの摩擦トルクを発生させることができる。嵌装部４４２の外周面には、環状溝４３３の内周面から突出した内向突片４３３ａが近接しており、この内向突片４３３ａがボス軸部４３２に対する嵌装部４４２の径方向の相対変位を規制する。そのため、ボス軸部４３２が塑性変形してしまうほどに大きく変形させられることはなく、機構の耐久性能並びにボス軸部４３２の抜け止めを維持し得る。
【００６２】
これら繰出ギア４３（ＣＬ２）及びクラッチ４４（ＣＬ１）はともに、スライドフレーム４に一体成形された繰出軸４２に軸支させる。即ち、図３に示しているように、繰出軸４２を、繰出ギア４３（ＣＬ２）側からボス軸部４３２及び基軸部４４１の内空に挿入することで、繰出ギア４３（ＣＬ２）及びクラッチ４４（ＣＬ１）をスライドフレーム４に回転可能に支持させる。その上で、リフィル２をスライドフレーム４に取り付けた暁には、クラッチ４４（ＣＬ１）の基軸部４４１及び嵌装部４４２のフランジ４４２ａを除いた部分が、繰出リール２１の内部に収まる。クラッチ４４（ＣＬ１）の基軸部４４１から突出したリブ４４１ａは、繰出リール２１内周の凹凸に掛かり、繰出リール２１の回転とクラッチ４４（ＣＬ１）の回転とを同期させる役割を担う。
【００６３】
ここで本実施形態に係る転写具Ｔは、図１３に示すように、上述した構成のもと、巻取リールを支持している支軸部材たるクラッチ４４を第一の部材ＣＬ１とし、繰出ギア４３を本発明の第二の部材ＣＬ２として、これら第一の部ＣＬ１及び第二の部材ＣＬ２とによって、転写時に起こる繰出リール２１と繰出ギア４３との回転速度の差を許容するクラッチ機構ＣＬを構成している。
【００６４】
図１７は、図１３ないし図１５に示すクラッチ機構ＣＬの構成を模式的に示したものである。クラッチ４４すなわち第一の部材ＣＬ１は樹脂で一体成形されているため、成型された円筒形状は、厳密にみると、同図に示されるように短寸部分ＣＬ１１と長寸部分ＣＬ１２とが形成される楕円形状となっている。そして同図ではこの繰出ギア４３すなわち第二の部材ＣＬ２に対し、第一の部材ＣＬ１が相対的に回転していく態様を示している。このように、摩擦発生部たる各凸部ＣＬ２０は周面ＣＬ１０すなわち嵌装部４４２の内周面ＣＬ１０に対する当接度合いを異ならせながら相対的に回転している。また切り欠き４３２すなわち本発明の切欠部ＣＬ２１は、本実施形態では隣り合う凸部ＣＬ２０の中間に配されるように等角度間隔に３つ配置してある。
【００６５】
しかして本実施形態では周面に対し当接する摩擦発生部たる凸部ＣＬ２０を、３つ設けている。具体的には、奇数個である３つの凸部ＣＬ２０を、１２０°等角度間隔で均等に設けたものとしている。そうすることにより、同図に示すように、転写時に第一の部材ＣＬ１と第二の部材ＣＬ２とが相対的に回転した何れの角度をなした場合においても、上述の図２８に示したような、隣り合う２つの凸部ＣＬ２０を２組選ぶことができない態様となっている。すなわちこの場合、仮に、一方の組に属する隣り合う２つの凸部ＣＬ２０を結ぶ線分ａの垂直二等分線ａ１と、他方の組に属する隣り合う２つの凸部ＣＬ２０を結ぶ線分の垂直二等分線とを形成しようとすれば２つの凸部ＣＬ２０を重複して選ばなければならないが、そうなると、２つの二等分線は、自ずと異なって形成されるものとなる。そして勿論凸部ＣＬ２０は３つ設けられているので、上記図２８に示したような仮想の配置ｄ、すなわち円筒形状に対し隣り合う２つの凸部ＣＬ２０を当該円筒の中心ｃから平面視点対称に配置した仮想の配置ｄを形成することもない。
【００６６】
以上のような構成とすることにより、本実施形態で示したクラッチ機構ＣＬは、第１の部材ＣＬ１と第２の部材ＣＬ２とが相対的に回転する何れの回転ステージにおいても、所要の摩擦をもってスムーズに動作し得るものとなっている。そうすることにより、滞りなくスムーズで、且つ正確な転写動作を確実に実現し得るものとなっている。
【００６７】
そしてさらに精密に摩擦強さを調節し得るものとするため本実施形態では、第二の部材ＣＬ２が、摩擦発生部たる凸部ＣＬ２０間を周方向に切り欠いた切欠部ＣＬ２１をさらに有しているので、切欠部ＣＬ２１の位置で第二の部材ＣＬ２が適宜弾性変形をし得る構成となり、クラッチ機構ＣＬの所要の摩擦強さを実現している。
【００６８】
また本実施形態ではクラッチ機構ＣＬは繰出リール２１側に設けることにより既存の他の転写具Ｔからの軽微な形状の改良により、上記の効果を容易に奏するものとなっている。
【００６９】
そして本実施形態斯かる転写具Ｔは粘着剤を転写するものとしている。すなわち一般に修正剤を転写するよりも大きな作用力を所望する粘着剤を転写するものにおいても当該クラッチ機構ＣＬによるスムーズな転写動作を実現している。
【００７０】
＜変形例＞
以下に、本実施形態の各変形例について説明するが、上記実施形態と同じ構成要素に対しては同じ符号を付すとともに、その詳細な説明を省略している。
【００７１】
また、本発明に係るクラッチ機構における摩擦発生部たる凸部ＣＬ２０の配置は、上記実施形態のような３つ等角度間隔で均等に設けたものに限られず、図１８に示すように、７２°等角度間隔で５つの凸部ＣＬ２０を均等に配置したものであってもよい。勿論、図１９に示すように４０°等角度間隔で９つの凸部ＣＬ２０を均等に配置したものであっても良い。
【００７２】
このようなものであっても、上述の図２８に示したような、一方の組に属する隣り合う２つの凸部ＣＬ２０を結ぶ線分ａの垂直二等分線ａ１と、他方の組に属する隣り合う２つの凸部ＣＬ２０を結ぶ線分ｂの垂直二等分線ｂ１とが異なる配置となるように全ての凸部ＣＬ２０が配置されたものとなっている。勿論上記図２８に示したような仮想の配置ｄ、すなわち円筒形状に対し隣り合う２つの凸部ＣＬ２０を当該円筒の中心ｃから平面視点対称に配置した仮想の配置ｄを形成することもない。
【００７３】
また、図２０に示すように、第一の部材ＣＬ１の周面ＣＬ１０の周方向に沿って３０°間隔で３つ等角度で凸部ＣＬ２０を配置することにより摩擦発生部ブロックＣＬ２２を形成するとともに、当該摩擦発生部ブロックＣＬ２２を１２０°間隔で３組等角度で配置したものとしてもよい。
【００７４】
このようなものであっても、上記同様に、上述の図２８に示したような、一方の組に属する隣り合う２つの凸部ＣＬ２０を結ぶ線分ａの垂直二等分線ａ１と、他方の組に属する隣り合う２つの凸部ＣＬ２０を結ぶ線分ｂの垂直二等分線ｂ１とが異なる配置となるように全ての凸部ＣＬ２０が配置されたものとなっている。勿論上記図２８に示したような仮想の配置、すなわち円筒形状に対し隣り合う２つの凸部ＣＬ２０を当該円筒の中心ｃから平面視点対称に配置した仮想の配置ｄを形成することもない。
【００７５】
さらに同図に示す態様の場合は、摩擦発生部ブロックＣＬ２２間を周方向に切り欠いた切欠部ＣＬ２１を設けることにより、所要の摩擦を獲得し得るものとなっている。
【００７６】
また例えば、ボス軸部４３２において凸部４３２ａ（ＣＬ２０）を、図１４等に示しているような小形なものとせず、図２１で平面を、図２２に外観として示すように、１２０°間隔で３つ等角度で配置しつつ、周方向に沿って拡張した形状に成形することもできる。例えば、凸部４３２ａ（ＣＬ２０）を周方向に伸びた凸条としてもよい。このような態様とすることで、凸部４３２ａ（ＣＬ２０）と嵌装部４４２の内周面とが接する面積が周方向に増大する。従って、嵌装部４４２の内周面が小形の凸部４３２ａ（ＣＬ２０）に圧迫され、経年変化に伴い塑性変形して局所的に凹むおそれが低減する。
【００７７】
並びに、図２３に示すように、周方向に伸びる凸条状の凸部４３２ａ（ＣＬ２０）を、軸心方向に沿って遷移するように傾斜させていてもよい。さすれば、滑りが発生して支軸部材４４が繰出ギア４３に対し相対回転するときに、嵌装部４４２の内周面において凸部４３２ａ（ＣＬ２０）に接する接触箇所が軸心方向に変位することとなる。そのため、嵌装部４４２の内周面の塑性変形または摩耗が一層抑制され、クラッチ機構ＣＬの寿命が延びてより長期に亘る使用に耐え得るものとなる。
【００７８】
これらのような変形例の態様であっても、転写時に第一の部材ＣＬ１と第二の部材ＣＬ２とが相対的に回転した何れの角度をなした場合上述の図２８に示したような、隣り合う２つの凸部ＣＬ２０を２組選ぶことができない態様となっている。
【００７９】
以上、本発明の実施形態について説明したが、各部の具体的な構成は、上述した実施形態のみに限定されるものではなく、本発明の趣旨を逸脱しない範囲で種々変形が可能である。
【００８０】
まず上記実施形態並びに各変形例では、円周面が内向きの円周面である態様を開示したが、もちろん、第一の部材の円周面が外向きの円周面であり、前記摩擦発生部が当該円周面を外側から当接している態様としても上記実施形態並びに変形例同様の効果を得るものとなる。この場合には、隣り合う摩擦発生部を２組任意に選んだ場合に、どの摩擦発生部を選んでもこれら」４つの摩擦発生部が楕円状の円周面の長寸部分を挟まない構成となっているため、上記と同じ効果を奏することとなる。
【００８１】
その他、各部の具体的構成についても上記実施形態に限られるものではなく、本発明の趣旨を逸脱しない範囲で種々変形が可能である。
【００８２】
例えば、上記実施形態ではリフィル交換式の転写具を開示したが、勿論、使い切りタイプの転写具に本発明を適用したものであってもよい。また、本発明は、粘着剤を転写する転写具に限定されることはなく、修正剤を転写するタイプの転写具等、転写テープに塗布された転写物を転写する転写具であれば広く適用することができる。また転写具の他の内部構造や転写具の外形の具体的な態様は上記実施形態のものに限定されることはなく、既存のものを含め、種々の態様のものを適用することができる。
【産業上の利用可能性】
【００８３】
本発明は、粘着剤や修正テープ、顔料等の転写物を紙面その他の転写対象面に転写する転写具として利用することができる。
【符号の説明】
【００８４】
ＣＬ…クラッチ機構
ＣＬ１…第一の部材、支軸部材
ＣＬ１０…周面
ＣＬ２…第二の部材
ＣＬ２０…摩擦発生部（凸部）
ＣＬ２１…切欠部
ＣＬ２２…摩擦発生部ブロック
ａ、ｂ…線分
ａ１、ｂ１…垂直二等分線
ｃ…中心
ｄ…仮想の配置
【図１】
2011121206.tif 000003
【図２】
2011121206.tif 000004
【図３】
2011121206.tif 000005
【図４】
2011121206.tif 000006
【図５】
2011121206.tif 000007
【図６】
2011121206.tif 000008
【図７】
2011121206.tif 000009
【図８】
2011121206.tif 000010
【図９】
2011121206.tif 000011
【図１０】
2011121206.tif 000012
【図１１】
2011121206.tif 000013
【図１２】
2011121206.tif 000014
【図１３】
2011121206.tif 000015
【図１４】
2011121206.tif 000016
【図１５】
2011121206.tif 000017
【図１６】
2011121206.tif 000018
【図１７】
2011121206.tif 000019
【図１８】
2011121206.tif 000020
【図１９】
2011121206.tif 000021
【図２０】
2011121206.tif 000022
【図２１】
2011121206.tif 000023
【図２２】
2011121206.tif 000024
【図２３】
2011121206.tif 000025
【図２４】
2011121206.tif 000026
【図２５】
2011121206.tif 000027
【図２６】
2011121206.tif 000028
【図２７】
2011121206.tif 000029
【図２８】
2011121206.tif 000030